【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記払出処理手段により払出された遊技媒体数を、前記記憶手段に記憶されている計数遊技媒体数から減算更新する減算更新手段と、
前記計数遊技媒体数を記録可能な計数記録媒体に、前記記憶手段に記憶されている計数遊技媒体数を記録する記録処理と、該計数記録媒体を排出する排出処理と、前記計数記録媒体を受付けて、該受付けた計数記録媒体に記録されている前記計数遊技媒体数を前記記憶手段に記憶されている計数遊技媒体数に加算記憶する加算処理と、を行う計数記録媒体処理手段と、
を備え、
営業中処理を行う際に移行される通常モードと、営業中処理と同様の動作確認を行う際に移行されるテストモードとを少なくとも有し、前記各モードへの移行要求が入力される移行要求入力手段を備え、
前記計数記録媒体処理手段は、
前記テストモード中における前記記録処理において、前記計数遊技媒体数を該テストモード中のテストデータとして記録し、
前記テストモード以外の他のモードに移行したときに、受付け中若しくは受付けた計数記録媒体に前記テストデータが記録されていることを条件に、該テストデータを消去する、
ことを特徴とする遊技用装置。
【請求項２】
前記移行要求入力手段は、該テストモードにおいて使用した計数記録媒体に前記記録処理により記録された記録情報を消去する際に移行される消去モードをさらに有し、
前記計数記録媒体処理手段は、前記消去モードに移行したときに、前記テストデータが記録された計数記録媒体を受付け中若しくは受付けたことを条件に、該テストデータを消去することを特徴とする請求項１に記載の遊技用装置。
【請求項３】
前記消去モードに移行したときに、前記記憶手段に記憶された前記テストモード中に計数された計数遊技媒体数を消去する計数消去処理手段を備えることを特徴とする請求項２に記載の遊技用装置。
【請求項４】
前記テストモード中において前記計数記録媒体処理手段は、前記計数遊技媒体数が記録されている前記計数記録媒体を受付けたときには該計数記録媒体を排出するとともに、前記計数遊技媒体数が記録されていない前記計数記録媒体を受付けたときには該計数遊技媒体数を排出することなく受付けを継続することを特徴とする請求項１〜３のいずれかに記載の遊技用装置。
【請求項５】
前記移行要求入力手段に前記テストモードへの移行要求の入力があったときに、前記記憶手段に前記通常モード中に計数された計数遊技媒体数が存在するか否かを判定する判定手段と、前記判定手段において前記記憶手段に計数遊技媒体数が存在しないと判定されたことを条件に前記テストモードへ移行させる制御を行うモード移行制御手段とを備えることを特徴とする請求項１〜４のいずれかに記載の遊技用装置。
【請求項６】
前記遊技用装置を管理する管理装置に対し、前記テストモード中における動作であるか或いは前記通常モード中における動作であるかを識別可能なモード種別情報を含む当該動作に関する動作情報を送信する動作情報送信手段を備えることを特徴とする請求項１〜５のいずれかに記載の遊技用装置。
【手続補正２】
【補正対象書類名】明細書
【補正対象項目名】０００７
【補正方法】変更
【補正の内容】
【０００７】
前記課題を解決するために、本発明の請求項１に記載の遊技用装置は、
遊技機（パチンコ機２）に１対１に対応して設けられた遊技用装置（カードユニット３）であって、
取り込んだ遊技媒体（パチンコ玉）を計数するための計数手段（制御部３５０，制御ユニット３２８；計数情報処理、ＳＳ４）と、
該計数手段が計数した計数遊技媒体数（持玉数（計数済玉数））を加算記憶する記憶手段（ＲＡＭ３２８ｂ；カードテーブル）と、
該記憶手段に記憶されている計数遊技媒体数を表示する表示手段（表示部３１２）と、
前記記憶手段に記憶されている計数遊技媒体数の範囲内の遊技媒体を払出すための払出処理を行う払出処理手段（制御ユニット３２８；払出処理、Ｓｈ５、Ｓｈ８、Ｓｈ１０）と、
前記払出処理手段により払出された遊技媒体数を、前記記憶手段に記憶されている計数遊技媒体数から減算更新する減算更新手段（制御ユニット３２８；払出処理、Ｓｈ５、Ｓｈ８、Ｓｈ１０）と、
前記計数遊技媒体数を記録可能な計数記録媒体（ビジターカード）に、前記記憶手段に記憶されている計数遊技媒体数（持玉数）を記録する記録処理（返却処理（Ｓｂ２３）においてビジターカードを排出する前に持玉数を更新記録する処理）と、該計数記録媒体を排出する排出処理（返却処理（Ｓｂ２３）においてビジターカードを排出する処理）と、前記計数記録媒体を受付けて、該受付けた計数記録媒体に記録されている前記計数遊技媒体数を前記記憶手段に記憶されている計数遊技媒体数（カードテーブルの持玉数）に加算記憶する加算処理（カード受付け処理）と、を行う計数記録媒体処理手段（制御ユニット３２８、カードリーダライタ３２７）と、
を備え、
営業中処理を行う際に移行される通常モードと、営業中処理と同様の動作確認を行う際に移行されるテストモードとを少なくとも有し、前記各モードへの移行要求（モード移行要求）が入力（受信）される移行要求入力手段（通信部３３４）を備え、
前記計数記録媒体処理手段は、
前  記テストモード中における前記記録処理において、前記計数遊技媒体数を該テストモード中のテストデータとして記録し、
前記テストモード以外の他のモードに移行したときに、前記消去モード中において受付け中若しくは受付けた計数記録媒体に前記テストデータ（テストフラグデータが「１」である記録データ）が記録されていることを条件（消去モード処理、Ｓｙ３、Ｓｙ１０）に、該テストデータを消去する（Ｓｙ７）、
ことを特徴としている。
この特徴によれば、テストモードで使用された計数記録媒体が、通常モード中において不正等に使用されてしまうことを防止できるとともに、通常モードにて使用可能な計数記録媒体を、テストモードで使用することにより該計数記録媒体に記録されたテストデータを、該計数記録媒体を景品カウンタ等に一々持参することなく、遊技用装置の前記計数記録媒体処理手段で消去することにより該遊技用装置において消去できるようになるので、これらテストモード（動作確認）にて使用した計数記録媒体に記録されている記録情報の消去作業の作業性を向上することができる。
また、テストモードからテストモード以外の他のモードである通常モードに移行して実施できるようになるので、これら動作確認を伴う開店作業の作業性を向上できるとともに、これらの消去を営業開始後の営業中において任意に実施できるようになるので、これら消去作業の自由度を著しく向上できる。
【手続補正３】
【補正対象書類名】明細書
【補正対象項目名】０００８
【補正方法】変更
【補正の内容】
【０００８】
本発明の請求項２に記載の遊技用装置は、請求項１に記載の遊技用装置であって、
前記移行要求入力手段は、該テストモードにおいて使用した計数記録媒体に前記記録処理により記録された記録情報を消去する際に移行される消去モードをさらに有し、
前記計数記録媒体処理手段（制御ユニット３２８、カードリーダライタ３２７）は、前記消去モードに移行したときに、前記通常モード中において前記テストデータが記録された計数記録媒体（ビジターカード）を受付け中若しくは受付けたことを条件に、該テストデータを消去する（通常モード移行時処理、Ｓｊ５）ことを特徴としている。
この特徴によれば、例えば、営業開始前にテストモードとして動作確認に使用した計数記録媒体の消去を、消去モードに移行して、すべての遊技用装置において実施できるようになるので、これら動作確認を伴う開店作業の作業性を向上でき、これら消去作業の自由度を著しく向上できる。
【手続補正４】
【補正対象書類名】明細書
【補正対象項目名】０００９
【補正方法】変更
【補正の内容】
【０００９】
本発明の請求項３に記載の遊技用装置は、請求項２に記載の遊技用装置であって、
前記消去モードに移行したときに、前記記憶手段に記憶された前記テストモード中に計数された計数遊技媒体数（持玉数（計数済玉数））を消去する計数消去処理手段（制御ユニット３２８、Ｓｙ２）を備えることを特徴としている。
この特徴によれば、計数記録媒体に未記録の計数遊技媒体数についても消去できるので、これら未記録の計数遊技媒体数が通常モード中において不正等に使用されることを防止できる。
【手続補正５】
【補正対象書類名】明細書
【補正対象項目名】００１０
【補正方法】変更
【補正の内容】
【００１０】
本発明の請求項４に記載の遊技用装置は、請求項１〜３のいずれかに記載の遊技用装置であって、
前記テストモード中において前記計数記録媒体処理手段（制御ユニット３２８、カードリーダライタ３２７）は、前記計数遊技媒体数が記録されている（持玉数が記録されている）前記計数記録媒体を受付けたときには該計数記録媒体を排出するとともに、計数遊技媒体数が記録されていない（持玉数が「０」）前記計数記録媒体を受付けたときには該計数遊技媒体数を排出することなく受付けを継続することを特徴としている。
この特徴によれば、通常モード中に計数された計数遊技媒体数がテストモード中において使用されてしまうことによる不利益の発生を防止できる一方、計数遊技媒体数が記録されていないことで不利益が発生することのない計数遊技媒体数については、いずれも受付けが継続されることでテストモードに使用することができる。
【手続補正６】
【補正対象書類名】図面
【補正対象項目名】図３７
【補正方法】変更
【補正の内容】
【図３７】
2010246747.tif 000001